(57)【要約】【課題】  補助枠の強度の向上、安全性の向上及び防塵性の向上が図れる扉装置を提供する。【解決手段】  少なくとも上枠２ａ及び左右の縦枠２ｃ，２ｄからなる開口枠２と、該開口枠２内に開閉可能に設けられる扉３とを備え、扉３は上框８ａ、下框８ｂ及び左右の縦框８ｃ，８ｄからなる框枠８内に面板９を設けてなり、扉３の吊り元側縦框８ｄを断面略円形に形成し、吊り元側縦枠２ｃに見込み寸法の大きい補助枠１９を設け、該補助枠１９はその室内外両側面１９ａ，１９ｂから吊り元側縦框８ｄに向って見込み寸法が減少するように傾斜した傾斜面２０を有し、補助枠１９と吊り元側縦框８ｄ間の隙間ｓに防塵材２１を設けている。【選択図】          図３
2006316510.tif 000002
【特許請求の範囲】
【請求項１】
少なくとも上枠及び左右の縦枠からなる開口枠と、該開口枠内に開閉可能に設けられる扉とを備え、扉は上框、下框及び左右の縦框からなる框枠内に面板を設けてなり、扉の吊り元側縦框を断面略円形に形成し、吊り元側縦枠に見込み寸法の大きい補助枠を設け、該補助枠はその室内外両側面から吊り元側縦框に向って見込み寸法が減少するように傾斜した傾斜面を有し、補助枠と吊り元側縦框間の隙間に防塵材を設けたことを特徴とする扉装置。
【発明の詳細な説明】
【技術分野】
【０００１】
本発明は、店舗やビル等の出入り口に取付けられる扉装置に係り、特に扉の吊り元側縦框と縦枠間に配置される補助枠の構造を改良した扉装置に関する。
【背景技術】
【０００２】
この種の扉装置としては、上枠及び左右の縦枠からなる開口枠と、該開口枠内に開閉可能に設けられる扉とを備え、扉は上框、下框及び左右の縦框からなる框枠内に面板を設けてなり、扉の吊り元側縦框は回動軸として断面略円形に形成され、吊り元側縦枠に補助枠としての桟部材を設けたもの（出入り口の開き扉）が知られている（例えば特開平９−２７３３６１号公報参照）。扉の吊り元側縦框を断面略円形に形成することにより、吊り元側縦框と桟部材との間の隙間が一定に保持され、扉の開け閉めに際して子供や清掃員等が手指を挟むなどの事故を防止している。
【０００３】
前記桟部材は、吊り元側縦框に臨んで開放された断面コ字状ないし溝形状に形成され、その溝底部が縦枠にネジで固定され、その室内外両側縁部には吊り元側縦框の外形に対応して内側に折り曲げられた一対のリップ片が形成されている。
【０００４】
【特許文献１】特開平９−２７３３６１号公報
【発明の開示】
【発明が解決しようとする課題】
【０００５】
しかしながら、前記扉装置においては、桟部材が吊り元側縦框に臨んで開放された断面コ字状に形成されているため、その自由端となった室内外両側面が変形し易く、強度的に弱いという問題があると共に、その室内外両側面のうち少なくとも一方が変形した場合、その側縁部と吊り元側縦框との間の隙間が広がって手指を挟み易くなることが考えられる。
【０００６】
また、桟部材と吊り元側縦框との間は常時隙間が開いているため、塵や埃が室内（屋内）に侵入し易く、防塵性に欠ける。
【０００７】
本発明は、上記事情を考慮してなされたものであり、補助枠の強度の向上、安全性の向上及び防塵性の向上が図れる扉装置を提供することを目的とする。
【課題を解決するための手段】
【０００８】
上記目的を達成するために、本発明は、少なくとも上枠及び左右の縦枠からなる開口枠と、該開口枠内に開閉可能に設けられる扉とを備え、扉は上框、下框及び左右の縦框からなる框枠内に面板を設けてなり、扉の吊り元側縦框を断面略円形に形成し、吊り元側縦枠に見込み寸法の大きい補助枠を設け、該補助枠はその室内外両側面から吊り元側縦框に向って見込み寸法が減少するように傾斜した傾斜面を有し、補助枠と吊り元側縦框間の隙間に防塵材を設けたことを特徴とする。
【発明の効果】
【０００９】
本発明によれば、少なくとも上枠及び左右の縦枠からなる開口枠と、該開口枠内に開閉可能に設けられる扉とを備え、扉は上框、下框及び左右の縦框からなる框枠内に面板を設けてなり、扉の吊り元側縦框を断面略円形に形成し、吊り元側縦枠に見込み寸法の大きい補助枠を設け、該補助枠はその室内外両側面から吊り元側縦框に向って見込み寸法が減少するように傾斜した傾斜面を有し、補助枠と吊り元側縦框間の隙間に防塵材を設けているため、補助枠の強度の向上、安全性の向上及び防塵性の向上が図れる。
【発明を実施するための最良の形態】
【００１０】
以下に、本発明を実施するための最良の形態について、添付図面を基に詳述する。図１は本発明の実施の形態に係る扉装置の概略構成を示す室内側正面図、図２は同縦断面図、図３は同横断面図、図４は扉を室外側に全開させた状態の要部断面図である。
【００１１】
これらの図において、１は扉装置で、この扉装置１は、建物の開口に設けられる少なくとも上枠２ａ及び左右の縦枠２ｂ，２ｃからなる開口枠２と、該開口枠２内に開閉可能に設けられる扉３とを備えている。上枠２ａ及び両縦枠２ｂ，２ｃは、例えばアルミ押出形材からなり、両縦枠２ｂ，２ｃの上端部間に上枠２ａが掛け渡されてネジ止めにより組み付けられている。なお、縦枠２ｂ，２ｃは、例えば図６に示すように、欄間２６付き扉装置の縦枠としても使用できるように、欄間用の面板例えばガラスパネル４を装着するための溝部５を有している（図３参照）。縦枠２ｂ，２ｃには溝部５を塞ぐ溝蓋６が着脱可能に嵌着され、吊り元側縦枠２ｃの溝蓋６は縦枠２ｃに対して固着具例えばネジ７で固定されている。なお、図３において、２７は錠受け固定用のネジである。
【００１２】
扉３は上框８ａ、下框８ｂ及び左右の縦框８ｃ，８ｄからなる框枠８内に面板例えばガラスパネル９を設けて構成されている。上框８ａ、下框８ｂ及び左右の縦框８ｃ，８ｄは、例えばアルミ押出形材からなり、ネジ止めにより方形枠状に組み付けられている。扉３の吊り元側縦框８ｄは扉３の回動軸（回動中心）とされると共に断面略円形に形成されている。この吊り元側縦框８ｄを回動軸として扉３を室内外方向に回動可能に支持するために、床面１０下にはフロアヒンジ１１が設けられ、上枠２ａにはトップヒンジ１２が設けられている。
【００１３】
フロアヒンジ１１は、床面１０より吊り元側縦框８ｄの軸心に向って上方に突出した駆動軸１１ａと、扉３の下框８ｂに設けられ駆動軸１１ａが嵌合して一体的に回動する受部１１ｂとから構成されている。フロアヒンジ１１には、駆動軸１１ａを介して扉３を閉鎖位置に付勢する図示しない付勢機構が内蔵されている。トップヒンジ１２は、扉３の吊り元側縦框８ｄの上端部から上方に突出する状態で設けられた支軸１２ａと、上枠２ａに設けられて該支軸１２ａを回動可能に支持する軸受部１２ｂとから構成されている。
【００１４】
前記扉３の吊り元側縦框８ｄは、中空の断面略円形に形成されていることが好ましい。更に具体的には、吊り元側縦框８ｄの一側部には、ガラスパネル９の周縁部を押える押縁１３を取付けるための押縁取付部１４が形成され、該押縁取付部１４に押縁１３が取付けられている。また、吊り元側縦框８ｄの他側部には、略扁平な端面部１６が形成され、この端面部１６には上框や下框を組み付けるためのネジ１５を回すネジ回しを挿入するための孔部（図示省略）が形成されている。また、端面部１６には吊り元側縦框８ｄと同一曲面の断面円弧状のキャップ１７がネジ１８で着脱可能に取付けられている。
【００１５】
吊り元側縦枠２ｃには、見込み寸法（室内外方向の幅寸法）の大きい補助枠（アタッチメント）１９が設けられ、該補助枠１９はその室内外両側面１９ａ，１９ｂから吊り元側縦框８ｄに向って見込み寸法が減少するように傾斜した傾斜面（テーパ）２０を有している。補助枠１９は、例えばアルミ押出形材からなり、吊り元側縦枠２ｃに臨んで開放した断面略Ｃ字状に形成されている。この補助枠１９は、前記吊り元側縦枠２ｃの溝部５の溝幅よりも広い見込み寸法とされると共に、吊り元側縦框８ｄに臨む側が閉じられている（開放されていない）ことにより、強度の向上が図られている。補助枠１９は、その両側縁部が縦枠２ｃの面に当接されて固定端となるため、変形し難い。
【００１６】
この補助枠１９の室内外両側面１９ａ，１９ｂの左右方向略中間位置から吊り元側縦框８ｄに近接する先端部１９ｃに向って見込み寸法が減少するように傾斜した傾斜面（テーパ）２０が形成されている。この補助枠１９の先端部１９ｃは、吊り元側縦框８ｄの曲面状の外面と対応するように略凹面状に形成されていることが好ましい。補助枠１９は前記溝蓋６に対してネジ２４で着脱可能に取付けられている。なお、補助枠１９は、長いネジによって吊り元側縦枠２ｃに直接取付けられていても良い。この場合、溝蓋６は取付けられていなくても良い。
【００１７】
補助枠１９と吊り元側縦框８ｄとの間の隙間ｓには、室外側から室内側に塵や埃の侵入を防止するための防塵材２１が設けられている。実施例では、吊り元側縦框８ｄに防塵材２１が設けられている。具体的には、キャップ１７に防塵材２１が取付けられている。扉３が閉鎖位置にある時、防塵材２１の先端は補助枠１９の凹面状の先端部１９ｃに接している。防塵材２１は、例えば基材に繊維を植毛したモヘアからなっており、吊り元側縦框８ｄの長手方向全長に設けられている。前記キャップ１７にはモヘアの基板を嵌合するための嵌合溝２２が長手方向に沿って形成されている。
【００１８】
扉３の閉鎖位置からの開き角度θは、９０°よりも大きい例えば１２５°（フロアヒンジの限界開き角度）とされている。因みに、扉３が吊り元側縦枠２ｃに接するまでの開き角度は１３５°である。一方、扉３の吊り先（戸先）側縦框８ｃには扉３を閉鎖位置に施錠するための錠装置２３が設けられている。また、吊り先側縦框８ｃには扉３を開閉操作するための把手が設けられている（図示省略）。
【００１９】
以上の構成からなる扉装置によれば、少なくとも上枠２ａ及び左右の縦枠２ｃ，２ｄからなる開口枠２と、該開口枠２内に開閉可能に設けられる扉３とを備え、扉３は上框８ａ、下框８ｂ及び左右の縦框８ｃ，８ｄからなる框枠８内に面板であるガラスパネル９を設けてなり、扉３の吊り元側縦框８ｄを断面略円形に形成し、吊り元側縦枠２ｃに見込み寸法の大きい補助枠１９を設け、該補助枠１９はその室内外両側面１９ａ，１９ｂから吊り元側縦框８ｄに向って見込み寸法が減少するように傾斜した傾斜面２０を有し、補助枠１９と吊り元側縦框８ｄ間の隙間ｓに防塵材２１を設けているため、補助枠１９の強度の向上、安全性の向上及び防塵性の向上が図れる。
【００２０】
すなわち、上記補助枠１９は、見込み寸法の大きい幅広で縦枠２ｃの面（取付面）に対して安定性があり、且つ吊り元側縦框８ｄに近接する側の先端部１９ｃが閉じられているため、外力によって変形し難く、高い強度を確保することができる。また、補助枠１９が変形して吊り元側縦框８ｄとの間の隙間ｓが広がる恐れはなく、しかも、補助枠１９の先端部１９ｃ側には室内外両側面１９ａ，１９ｂのその左右方向中間位置から先端側に向って漸次見込み寸法が減少するように傾斜した傾斜面２０が形成されているため、扉３の開閉時に吊り元側縦框８ｄと補助枠１９との間に手指を挟み込んだり、手指が巻き込まれたりし難く、安全性の向上が図れる。上記傾斜面２０によって吊り元側縦框８ｄの曲面と補助枠１９の傾斜面２０との間が大きく開いているため、手指を巻き込まれにくく、手指を容易に逃がすことができる。
【００２１】
また、補助枠１９と吊り元側縦框８ｄ間の隙間ｓに防塵材２１が設けられているため、塵や埃の侵入を防止でき、防塵性の向上が図れる。特に、実施例では吊り元側縦框８ｄに防塵材２１が設けられており、補助枠１９側は凹面状の先端部１９ｃという限られた範囲にしか防塵材２１が接しないため、防塵材２１が扉開閉時の摩擦抵抗になるのを極力防止でき、開閉操作性の向上が図れる。
【００２２】
図５は扉装置の変形例を示す部分的横断面図である。図５の実施例において、図３の実施例と同一部分は同一参照符号を付して説明を省略する。図５の実施例では、扉３の吊り先側縦框８ｃの先端部には軟質樹脂製ないしゴム製のクッション性を有するパッキン部材２５が設けられ、これにより吊り先側縦框８ｃと縦枠２ｂとの間で手指を挟む事故を防止し、安全性の向上が図られている。
【００２３】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は、片開き式の扉装置に限定されず、図６に示すように２枚の扉を有する両開き式の扉装置にも適用することができ、また、欄間２６を有するものであっても良い。欄間２６は、左右の縦枠２ｂ、２ｃと、欄間用の上枠２６ａと、開口枠用の上枠２ａと、これらによって区画形成された欄間用の開口に装着されるガラスパネル４とから構成されている。
【００２４】
本発明における防塵材は、吊り元側縦框と補助枠の何れか一方に設けられていれば良い。防塵材としては軟質樹脂製ないしゴム製のヒレ状で気密性を有する気密材が用いられていても良い。開口枠としては、下枠を有していても良い。補助枠の断面形状としては、側方に開放されていないホロー（中空）形状であっても良い。
【図面の簡単な説明】
【００２５】
【図１】本発明の実施の形態に係る扉装置の概略構成を示す室内側正面図である。
【図２】同縦断面図である。
【図３】同横断面図である。
【図４】扉を室外側に全開させた状態の要部断面図である。
【図５】扉装置の変形例を示す部分的横断面図である。
【図６】扉装置の変形例を示す室内側正面図である。
【符号の説明】
【００２６】
１  扉装置
２  開口枠
２ａ  上枠
２ｂ、２ｃ  縦枠
３  扉
８  框枠
８ａ  上框
８ｂ  下框
８ｃ、８ｄ  縦框
１９  補助枠
１９ａ．１９ｂ  室内外両側面
２０  傾斜面
ｓ  隙間
２１  防塵材
【図１】
2006316510.tif 000003
【図２】
2006316510.tif 000004
【図３】
2006316510.tif 000005
【図４】
2006316510.tif 000006
【図５】
2006316510.tif 000007
【図６】
2006316510.tif 000008